(57)【要約】【課題】レンズ鏡筒の回転に連動させてファインダを駆動するカメラにおいて、ファインダを駆動する駆動部材を小型化することにより、コンパクトなカメラを提供する。【解決手段】沈胴領域及び撮影領域で動作するレンズ鏡筒（１１０）と、光軸方向に移動可能なファインダレンズ（１８，１９，２０）と、レンズ鏡筒の動作に伴い、レンズ鏡筒に係合することによりレンズ鏡筒の光軸に直交する面内で移動して、ファインダレンズをカムにより駆動するファインダ駆動部材（１７）とを有し、レンズ鏡筒とファインダ駆動部材が、レンズ鏡筒が撮影領域で動作するときに係合し、レンズ鏡筒が少なくともワイド端から沈胴領域で動作するときには、係合が断たれることを特徴とするカメラ。【選択図】  図８
2004258167.tif 000002
【特許請求の範囲】
【請求項１】
沈胴領域及び撮影領域で動作するレンズ鏡筒と、
光軸方向に移動可能なファインダレンズと、
前記レンズ鏡筒の動作に伴い、該レンズ鏡筒に回転係合することにより前記レンズ鏡筒の光軸に直交する面内で移動して、前記ファインダレンズをカムにより駆動するファインダ駆動部材とを有し、
前記レンズ鏡筒と前記ファインダ駆動部材が、前記レンズ鏡筒が前記撮影領域で動作するときに係合し、前記レンズ鏡筒が少なくともワイド端から前記沈胴領域で動作するときには、前記係合が断たれることを特徴とするカメラ。
【発明の詳細な説明】
【０００１】
【産業上の利用分野】
本発明は、レンズ鏡筒の回転動作に連動してファインダを駆動させるカメラに関するものである。
【０００２】
【従来の技術】
レンズ鏡筒を構成する回転筒の回転動作に連動させて、ファインダを駆動させるようなカメラが、従来提案されている。このカメラを図９（ａ）、図１０に示す。
【０００３】
これらの図において、６０はレンズ鏡筒を構成する回転筒で、１７０はファインダ駆動部材である。ファインダ駆動部材１７０は、光軸周りに回転する回転筒６０に対して当接可能に配置されており、回転筒６０が当接することにより、回転筒６０とともに光軸周り（Ｄ方向と逆向き方向）に回転する。
【０００４】
また、ファインダ駆動部材１７０は、Ｄ方向と反対側に不図示のバネ部材により付勢されている。このため、回転筒６０がＤ方向に回転すると、ファインダ駆動部材１７０は、バネ部材からの付勢力に逆らって、回転筒６０に追従するようにＤ方向に回転し、破線の位置まで移動する。
【０００５】
このようなファインダ駆動部材１７０の動きを図８に示す。ファインダ駆動部材１７０は、ズームポジションのＷより手前のｃ点で回転筒６０に当接して、回転動作を開始する。
【０００６】
電源ＯＦＦの時にはファインダ視野はＷよりもよりワイド側に設定されており、回転筒６０がＷに対応する位置まで回転した時にはファインダ視野がＷになるように設定されている。
【０００７】
ｃ点で駆動されたファインダ駆動部材１７０は、破線ａ→実線ｆに従って移動し、各ズームポジションに応じたファインダ視野が適切に設定される。
【０００８】
【特許文献１】
特開平０９−２１５５４
【特許文献２】
特開２００１−３２４７４９
【０００９】
【発明が解決しようとする課題】
しかしながら、上記従来例では、ファインダ駆動部材１７０の駆動開始位置を、ファインダ視野のＷより更にワイド側に設定していたため、ファインダ駆動部材１７０の回転角度が大きくなる。
【００１０】
そして、図１０に示すように、ファインダ駆動部材１７０の先端部のうち、破線Ｂ及び破線Ｃで囲まれた領域が、カメラの横方向に張り出すことになる。
【００１１】
このため、カメラを構成する他の部材（例えば電源電池を装填するための電池室等）を破線Ｂより左側に配置しなければならず、カメラの小型化を妨げている。
【００１２】
【課題を解決するための手段】
上記課題を解決するために、本願発明のカメラは、沈胴領域及び撮影領域で動作するレンズ鏡筒と、光軸方向に移動可能なファインダレンズと、前記レンズ鏡筒の動作に伴い、該レンズ鏡筒に回転係合することにより前記レンズ鏡筒の光軸に直交する面内で移動して、前記ファインダレンズをカムにより駆動するファインダ駆動部材とを有し、前記レンズ鏡筒と前記ファインダ駆動部材が、前記レンズ鏡筒が前記撮影領域で動作するときに係合し、前記レンズ鏡筒が少なくともワイド端から前記沈胴領域で動作するときには、前記係合が断たれることを特徴とする。
【００１３】
【発明の実施形態】
本発明の実施形態であるカメラについて図面を参照して説明する。ここで、図１には本発明の実施形態であるカメラが示されており、図２には本発明の実施形態であるカメラのレンズ鏡筒が示されている。
【００１４】
図１において、１００はカメラ本体であり、このカメラ本体１００の前面中央にはズーミングが可能なレンズ鏡筒１１０が設けられている。また、カメラ本体１００の前面における向かって右側には被写体に照明光を照射するストロボ装置を構成する発光窓部１２０が設けられ、発光窓部１２０の左側にはファインダ窓１４０および測光窓１３０がそれぞれ設けられている。
【００１５】
さらに、カメラ本体１００の上面には、撮影準備動作（焦点調節動作および測光動作）及び撮影動作（フィルムやＣＣＤ等の撮像素子への露光）を開始させるためのレリーズボタン１５０が設けられている。
【００１６】
次に、本発明のレンズ鏡筒１１０の駆動機構を図３を用いて説明する。
【００１７】
１はモータで、２〜５はモータ１の駆動力をレンズ鏡筒１１０に伝達する駆動力伝達部材である。
【００１８】
２はモータ１に取り付けられたウォームギアである。３はウォームギア２と噛み合うウォームホイールであり、鏡筒駆動ギア４と噛み合うギア部をも備えている。
【００１９】
５は鏡筒駆動ギア４でレンズ鏡筒１１０を駆動する最終ギアである。１７はファインダを駆動するためのファインダ駆動部材である。
【００２０】
図４はレンズ鏡筒１１０の中央断面図である。同図において、７は第１直進筒であり、この第１直進筒７には第１群撮影レンズ１２が搭載されている。
【００２１】
８は回転筒であり、この回転筒８の内周面には、第１直進筒７及び第２群レンズ群１３を光軸方向に案内する不図示のカム溝部が形成されている。
【００２２】
回転筒８の外周面には、回転筒８の周方向に延びるギア８ｂが設けられている。このギア８ｂには、最終ギア５が噛み合っている。
【００２３】
９は第１直進筒７を直進規制し且つ回転筒８に回転可能に支持されている第２直進筒である。１０は固定筒であり、この固定筒１０には、回転筒８に設けられた不図示のカムピンが係合する不図示のカム溝部が形成されている。
【００２４】
１１は露出を制御するためのシャッターユニットで後述する第２群レンズ群１３とともに駆動される。
【００２５】
１２は第１群レンズ群、１３は第２群レンズ群、１４は第３群レンズ群である。
【００２６】
レンズ鏡筒１１０の動作を図５を用いて簡単に説明する。モータ１を駆動すると、この駆動力が、ウォームギア２→ウォームホイール３→鏡筒駆動ギア４→最終ギア５→ギア８ｂの順に伝達され、回転筒８は、光軸周りに回転しながら光軸方向に進退する。
【００２７】
回転筒８が回転すると、第１直進筒７及び第２直進筒９は、光軸周りに回転することなく光軸方向に進退する。
【００２８】
また、第２群レンズ群１３及びシャッターユニット１１も同様に、光軸周りに回転することなく光軸方向に進退する。
【００２９】
次にファインダの構成及び駆動について図６を用いて説明する。図６（ｂ）は説明を容易にするために、図６（ａ）のファインダ保持部材１５を不図示にした図である。
【００３０】
図６（ａ）及び図６（ｂ）において、１５はファインダ保持部材であり、このファインダ保持部材１５は、ファインダ第１群レンズ１８、ファインダ第２群レンズ１９、ファインダ第３群レンズ２０、第１プリズム２１、第２プリズム２２及び接眼レンズ２３を保持している。
【００３１】
ファインダ保持部材１５の上部は、ファインダカバー１６により覆われている。
【００３２】
ファインダ駆動部材１７には、カム溝部１７ａ及び１７ｂが形成されている。
【００３３】
カム溝部１７ａには、ファインダ第２群レンズ１９の下部に設けられたカムピン１９ａが係合し、カム溝部１７ｂには、ファインダ第３群レンズ２０の下部に設けられたカムピン２０ａが係合している。
【００３４】
ファインダ第２群レンズ１９及びファインダ第３群レンズ２０は、後述する直進規制軸２４によって光軸方向に進退可能に支持されている。
【００３５】
次に、回転筒８とファインダ駆動部材１７との関係を図７を用いて説明する。
【００３６】
モータ１を駆動して、回転筒８をＧ方向に回転させると、
この回転筒８に設けられたファインダ駆動部８ａがファインダ駆動部材１７の当接部１７ｃに当接する。
【００３７】
ここで、ファインダ駆動部材１７は、不図示の片寄せバネによってＦ方向に付勢されている。
【００３８】
したがって、ファインダ駆動部材１７は、片寄せバネの付勢力に逆らいながら、回転筒８とともにＧ方向に回転する。
【００３９】
上述のように、カム溝部１７ａには、ファインダ第２群レンズ１９のカムピン１９ａが係合し、カム溝部１７ｂには、ファインダ第３群レンズ２０のカムピン２０ａが係合しており、ファインダ第２群レンズ１９及びファインダ第３群レンズ２０は直進規制軸２４により、光軸方向に直進規制されている。
【００４０】
したがって、ファインダ駆動部材１７がＧ方向に回転することにより、ファインダ第２群レンズ１９及びファインダ第３群レンズ２０は、カム溝部１７ａ及びカム溝部１７ｂに沿って、光軸方向に移動する。
【００４１】
一方、回転筒８がＦ方向に回転すると、ファインダ駆動部材１７は、片寄せばねから付勢力を受けるため、回転筒８に追従するようにＦ方向に回転する。
【００４２】
次に、図８を参照して、レンズ鏡筒１１０の回転角度とファインダ視野との関係について説明する。なお、図８はステップズームを採用したときのデータであるが、本願発明は、ステップズーム以外の機構を採用したカメラにも適用することができる。
【００４３】
同図において、横軸はレンズ鏡筒１１０のズームポジションを表しており、Ｗはワイド端、Ｍ１〜Ｍ４はミドル、Ｔはテレ端を意味している。
【００４４】
ワイド端Ｗより左側の領域が沈胴領域であり、右側の領域が撮影領域である。
【００４５】
ここで、部品にガタなどが生じて、レンズ鏡筒１１０がワイド端Ｗの右側又は左側で停止することもある。この場合、レンズ鏡筒１１０が停止した位置の右側を撮影領域といい、左側を沈胴領域という。
【００４６】
即ち、本明細書中では、撮影領域及び沈胴領域という用語を、多少の誤差を含めた表現として使用している。
【００４７】
レンズ鏡筒１１０は、沈胴領域及び撮影領域で動作する。
【００４８】
本実施形態では、実線ｂで示すように、沈胴領域にある時のファインダ視野をＷ（ワイド）の視野に設定し、ファインダ駆動部材１７の駆動開始時をｄ点に設定する。
【００４９】
即ち、ズームポジションがワイド端Ｗにある時のファインダ視野を、沈胴領域と同一のファインダ視野に設定する。  そして、ワイド端ＷとミドルＭ１との間で、回転筒８に設けられたファインダ駆動部８ａをファインダ駆動部材１７の当接部１７ｃに当接させ、ファインダ駆動部材１７を駆動する。
【００５０】
ファインダ駆動部材１７は、ｄ点を超えると実線ｂに従ってミドルＭ１まで回転する。ファインダ視野はワイド端Ｗ及びミドルＭ１において、適切に設定されているため、ユーザーが撮影領域を誤認するようなことはない。
【００５１】
ファインダ駆動部材１７は、ｈ点を超えると実線ｆに従って移動し、各ズームポジション（ミドルＭ２、ミドルＭ３、ミドルＭ４、ミドルＭ５、テレＴ）にてファインダ視野は適切に設定される。
【００５２】
このようにして本実施形態では、ファインダ視野に影響を与えることなく、従来例（図８の破線）よりも、ファインダ駆動部材１７をｅだけ回転させないことができる。
【００５３】
また、回転角度が小さくなると、カム溝部１７ａ及びカム溝部１７ｂの溝の長さを短くできるため、ファインダ駆動部材１７を小型化した、コンパクトなカメラを提供することが可能となる。
【００５４】
本実施形態においては、ワイド端Ｗ〜ミドルＭ１の間においてファインダ駆動部材１７を駆動している。ここで、ファインダ駆動部材１７の回転角度をより一層小さくするために、例えばミドルＭ１〜ミドルＭ２の間においてファインダ駆動部材１７を駆動する方法も考えられる。
【００５５】
しかしながら、この時ミドルＭ１でのファインダ視野が沈胴領域にあるときと同様にワイドに設定されてしまうため、ファインダ視野にミドルＭ１専用の視野枠が必要となり、ユーザーに誤認を与えるおそれがある。
【００５６】
そこで、本実施形態では、ワイド端Ｗ〜ミドルＭ１の間でファインダ駆動部材１７を駆動する構成にして、ユーザーに違和感を与えないカメラを提供することにしている。
【００５７】
また、部品にガタがある場合に、ファインダ駆動部材１７の駆動開始位置をｊ点に設定すると、レンズ鏡筒１１０がワイド端Ｗに来たときのファインダ視野をＷの位置に設定できなくなる恐れがある。これは、例えばレンズ鏡筒１１０がワイド端Ｗに停止する時、ガタの影響があり本来の停止位置よりミドルＭ１側に停止した場合には、ファインダが動いたりすることになる。
【００５８】
これに対して、本実施形態では、ワイド端Ｗよりテレ側であるワイド端ＷとミドルＭ１との間でガタの影響のないような十分な間隔を持ってファインダ駆動部材１７を駆動しているため、上述のようなガタが生じた場合でも、ワイド端Ｗの時のファインダ視野を確実にＷに設定することができる。
【００５９】
上述のようにして構成されたカメラがテレ端にあるときの状態が、図９（ｂ）に示されている。従来例である図９（ａ）と比較すればわかるように、本実施形態のカメラはファインダ駆動部材１７を小型化しているため、ファインダ駆動部材１７の先端部がレンズ鏡筒１１０の左側に張り出すことはない。
【００６０】
図２では、このような本実施形態の特徴点を１見して把握できるようにしている。同図に示すように、ファインダ駆動部材１７の先端部のうち、破線Ｂと破線Ｃによって挟まれた領域Ａ分だけ、従来例よりもファインダ駆動部材１７を小型化でき、さらにファインダ駆動部材１７を回転させないことが可能となっている。
【００６１】
これにより、カメラを構成する他の部材（例えば電源電池を装填するための電池室等）を破線Ｂと破線Ｃの間に配置することができるため、カメラを小型化（主としてカメラの左右方向）することが可能となる。
【００６２】
以上説明した実施形態は、以下に示す各発明を実施した場合の一例でもあり、下記の各発明は上記実施形態に様々な変更や改良が加えられて実施されるものである。
【００６３】
〔発明１〕沈胴領域及び撮影領域で動作するレンズ鏡筒と、
光軸方向に移動可能なファインダレンズと、
前記レンズ鏡筒の動作に伴い、該レンズ鏡筒に回転係合することにより前記レンズ鏡筒の光軸に直交する面内で移動して、前記ファインダレンズをカムにより駆動するファインダ駆動部材とを有し、
前記レンズ鏡筒と前記ファインダ駆動部材が、前記レンズ鏡筒が前記撮影領域で動作するときに係合し、前記レンズ鏡筒が少なくともワイド端から前記沈胴領域で動作するときには、前記係合が断たれることを特徴とするカメラ。
【００６４】
〔発明２〕  前記レンズ鏡筒から前記ファインダ駆動部材への回転係合が、前記レンズ鏡筒が前記撮影領域におけるワイド端よりテレ側の領域で動作するときに行われ、前記テレ側の領域外で動作するときには断たれることを特徴とする発明１記載のカメラ。
【００６５】
【発明の効果】
以上説明したように、本発明によれば主としてカメラの左右方向の小型化を図ることができる。
【図面の簡単な説明】
【図１】本実施形態のカメラの正面斜視図
【図２】本実施形態のレンズ鏡筒の正面図
【図３】本実施形態のカメラの正面斜視図
【図４】本実施形態のレンズ鏡筒の光軸方向断面図
【図５】回転筒の駆動機構を示した図
【図６】ファインダの駆動機構を説明した図
【図７】ファインダの駆動機構を説明した図
【図８】ファインダ視野とズームポジションの関係図
【図９】従来例と本実施形態のカメラとを比較した図（テレ端時）
【図１０】従来例のカメラ
【符号の説明】
１  モータ
２  ウォームギア
３  ウォームホイール
４  鏡筒駆動ギア
５  最終ギア
７  第１直進筒
８  回転筒
９  第２直進筒
１０  固定筒
１１  シャッターユニット
１２  第１群撮影レンズ
１３  第２群撮影レンズ
１４  第３群撮影レンズ
１５  ファインダ保持部材
１６  ファインダ保持部材カバー
１７  ファインダ駆動部材
１８  ファインダ第１群レンズ
１９  ファインダ第２群レンズ
２０  ファインダ第３群レンズ
２１  第１プリズム
２２  第２プリズム
２３  接眼レンズ
２４  直進規制軸
【図１】
2004258167.tif 000003
【図２】
2004258167.tif 000004
【図３】
2004258167.tif 000005
【図４】
2004258167.tif 000006
【図５】
2004258167.tif 000007
【図６】
2004258167.tif 000008
【図７】
2004258167.tif 000009
【図８】
2004258167.tif 000010
【図９】
2004258167.tif 000011
【図１０】
2004258167.tif 000012